(57)【要約】【課題】  本発明は店頭に設けられたアダプタを使用した着うたシステムに関する。【解決手段】  本発明は専用アダプタを使用して音楽情報や歌手情報、その他音楽に関する各種情報を無料で取得することができるシステムに関する。具体的には、ＣＤ販売店等の店舗に、ＩＤを埋め込んだアダプタを設置し、このアダプタに携帯電話機を接続することによって音楽情報を無料で提供し、同時に店舗に顧客を誘導し、音楽配信を受けるユーザの情報を有効利用することを可能とする着うたシステムを提供するものである。【選択図】図１
2005331699.tif 000002
【特許請求の範囲】
【請求項１】
サーバと、店舗内に設置されたアダプタに接続された携帯電話機とがネットワークを介して接続され、
前記アダプタは前記携帯電話機が接続されると、該携帯電話機から前記サーバにアクセスを行う手段と、
該サーバから送信される音楽コンテンツリストを受信する手段と、
該音楽コンテンツリストから所望のコンテンツを選択する手段と、
該選択したコンテンツを前記サーバから受信する手段と、
を備えることを特徴とする着うたシステム。
【請求項２】
前記サーバへのアクセスは、店舗毎に設定されたＩＤコードを使用して行うことを特徴とする請求項１記載の着うたシステム。
【請求項３】
前記音楽コンテンツリストを受信することなく、直接予め設定されたコンテンツの配信を受けることを特徴とする請求項１、又は２記載の着うたシステム。
【請求項４】
前記アダプタが設置される店舗は、着うたシステムの会員であることを特徴とする請求項１、２、又は３記載の着うたシステム。
【請求項５】
サーバと、店舗内に設置されたアダプタに接続された携帯電話機とがネットワークを介して接続されたシステムに使用されるプログラムであって、
前記アダプタに前記携帯電話機が接続されると、該携帯電話機から前記サーバにアクセスを行う機能と、
該サーバから送信される音楽コンテンツリストを受信する機能と、
該音楽コンテンツリストから所望のコンテンツを選択する機能と、
該選択したコンテンツを前記サーバから受信する機能と、
を少なくとも有し、コンピュータが実行可能な着うたプログラム。
【発明の詳細な説明】
【技術分野】
【０００１】
本発明は、店頭に設けられた専用アダプタを使用して音楽情報や歌手情報、その他音楽に関する各種情報を無料で提供するシステムに関する。
【背景技術】
【０００２】
今日、音楽データの配信に携帯電話機が広く使用されている。例えば、特許文献１には携帯電話機に適した音楽データの配信を行う音楽配信システムが提案されている。この発明は、携帯電話機のリクエストデータ生成部で音楽データのリクエストを作成し、インターネットを介してサーバに送信し、サーバから対応する音楽情報を配信する構成である。
【特許文献１】特開２００１−３１８６７３号公報
【発明の開示】
【発明が解決しようとする課題】
【０００３】
しかしながら、従来の音楽配信システムでは、携帯電話機に配信を行うことはできるが、音楽配信に付随する機能を付加することはできなかった。例えば、音楽配信を通じて店舗に顧客を誘導し、又音楽配信を受けるユーザの情報を有効利用することはできなかった。
【０００４】
そこで、本発明はＣＤ販売店等の店舗に、ＩＤを埋め込んだアダプタを設置し、このアダプタに携帯電話機を接続することによって音楽情報を無料で提供し、同時に店舗に顧客を誘導し、音楽配信を受けるユーザの情報を有効利用することを可能とする着うたシステムを提供するものである。
【課題を解決するための手段】
【０００５】
上記課題は本発明によれば、サーバと店舗内に設置されたアダプタに接続された携帯電話機とがネットワークを介して接続され、前記アダプタは前記携帯電話機が接続されると、該携帯電話機から前記サーバにアクセスを行う手段と、該サーバから送信される音楽コンテンツリストを受信する手段と、該音楽コンテンツリストから所望のコンテンツを選択する手段と、該選択したコンテンツを前記サーバから受信する手段とを備える着うたシステムを提供することによって達成できる。
【０００６】
このように構成することにより、音楽情報を無料で提供し、同時に店舗に顧客を誘導し、音楽配信を受けるユーザの情報を有効利用することを可能とするものである。
また、前記サーバへのアクセスは、店舗毎に設定されたＩＤコードを使用して行う構成であり、更に前記音楽コンテンツリストを受信することなく、直接予め設定されたコンテンツの配信を受ける構成である。また、前記アダプタが設置される店舗は、例えば着うたシステムの会員である。
【０００７】
さらに、上記課題は本発明によれば、サーバと、店舗内に設置されたアダプタに接続された携帯電話機とがネットワークを介して接続されたシステムに使用されるプログラムであって、前記アダプタに前記携帯電話機が接続されると、該携帯電話機から前記サーバにアクセスを行う機能と、該サーバから送信される音楽コンテンツリストを受信する機能と、該音楽コンテンツリストから所望のコンテンツを選択する機能と、該選択したコンテンツを前記サーバから受信する機能とを少なくとも有し、コンピュータが実行可能な着うたプログラムを提供することによって達成できる。
【０００８】
このように構成することによっても、音楽情報を無料で提供し、同時に店舗に顧客を誘導し、音楽配信を受けるユーザの情報を有効利用することができる。
【発明の効果】
【０００９】
本発明によれば、ＣＤショップ等の店舗にアダプタを設置し、店舗に来店したユーザの携帯電話機をアダプタに接続するだけで音楽情報をダウンロードでき、店舗の集客機能を向上させることができる。また、ユーザ情報を有効利用することも可能となる。
【発明を実施するための最良の形態】
【００１０】
以下、本発明の実施形態を図面に基づいて詳細に説明する。
図１は、本実施形態の着うたシステムのシステム構成を説明する図である。
同図に示すように、本システムは管理サーバ（以下、単にサーバで示す）１と、インターネットを介してサーバ１に接続された店舗２内の端末機器で構成されている。また、店舗２はＣＤショップ等の音楽関連商品の販売店舗であり、店舗内にはアダプタが設置されている。尚、各店舗２は予め本システムに登録を行った会員の店舗であり、各店舗にはショップコードが付与されている。
【００１１】
図２はサーバ１と店舗２の関係を示す図であり、同図において店舗２は複数の店舗の中の１つを代表して示す。尚、サーバ１は記憶装置３を有し、この記憶装置３には後述するデータベースが構築されている。
【００１２】
店舗２は前述のようにＣＤショップ等の音楽関連商品の販売店舗であり、携帯電話機４が接続可能な構造である。携帯電話機４はアダプタ５に接続されると、アダプタ５内にインストールされたプログラムによってサーバ１に対して直接アクセスできる構成である。
【００１３】
また、アダプタ５は同図に示す外観を有し、携帯電話機４に接続するためのコネクタ５ａを有する。また、アダプタ５には携帯電話機４を駆動し、サーバ１にアクセスするためのプログラムを内蔵する。
【００１４】
一方、図３は上記サーバ１の模式図であり、ＣＰＵ６、ＲＯＭ７、ＲＡＭ８で構成され、ＲＯＭ７に記憶されたプログラムに従って処理を行い、必要に応じてサーバ１に接続された記録装置３（データベース９ａ、９ｂ）にアクセスする。
【００１５】
また、ディスプレイ１０には必要な情報が表示され、通信回線を介して情報の授受が行われる。尚、本例のシステム制御はＲＯＭ７に記憶されたプログラムに従って実行されるが、同図に示すようにサーバ１に配設されたメディアドライバ１１にＣＤ−ＲＯＭ、フレキシブルディスク、ＭＯ等の記録媒体１２を装着し、この記録媒体１２から上記プログラムを読み出して使用する構成としてもよい。
【００１６】
図４は上記記録装置３の構成を説明する図であり、記憶装置３に構築されたデータベース９ａ、９ｂの内容を示す図である。尚、９ａは店舗情報を記憶したデータベースであり、９ｂはユーザに配信する音楽や映像コンテンツを記憶するデータベースである。
【００１７】
先ず、データベース９ａについて説明する。このデータベースは「ショップコード」、「店舗名」、「ウェブ（Web）ページ」、「アクセス回数」の各エリアで構成されている。例えば、「ショップコード」“０００１”には、本システムの会員である店舗の店舗名“〇〇〇店”が記録され、「ウェブ（Web）ページ」として当該ショップのＵＲＬ（uniform resource locator）が登録されている。さらに、当該店舗からのアクセス回数の記録が行われ、例えば上記店舗から“１５０”回のアクセスがあったことが記録されている。
【００１８】
また、例えば「ショップコード」“０００２”の店舗名“△△△店”の場合、同様に「ウェブ（Web）ページ」として当該店舗のＵＲＬが登録され、当該店舗のアクセス回数の記録が“２１０”として記録されている。以下、同様に図４に示すデータベースには会員であるショップの「店舗名」、「ショップコード」、「ウェブ（Web）ページ」、「アクセス回数」の情報が登録されている。
【００１９】
一方、図５はデータベース９ｂの構成を示す図であり、サーバ１がユーザの携帯電話機に供給するコンテンツの内容を示す。このデータベースには、コード番号と共に、コンテンツ名の情報が記録されている。ここで、例えばＡ・・・は音楽情報を示し、Ｂ・・・は映像情報を示し、Ｃ・・・は音声情報を示す。例えば、同図に示すＡ００１には、アーティスト“□□”の音楽データが記録され、Ａ００２には、アーティスト“××”の音楽データが記録されている。さらに、Ｂ００１にはある歌手のリハーサル風景の映像が記録され、Ｂ００２にはある歌手のＤＶＤ未収録映像の情報が記録されている。
【００２０】
以上の構成において、以下に本例の処理を説明する。
図６は本例の処理を説明するフローチャートである。先ず、音楽情報の取得を希望するユーザは本システムに加入する会員の店舗２に向かい、店舗２内のアダプタ５に携帯電話機を接続する（ステップ（以下、ＳＴで示す）１）。
【００２１】
この接続により、アダプタ５に内蔵されたプログラムが起動し、サーバ１のウェブ（Web）サイトに自動的にアクセスが行われ、ウェブ（Web）サイトに接続される（ＳＴ３がＹＥＳ）。この接続により、サーバ１はコンテンツリストをデータベース９ｂから読み出し、アクセスがあった携帯電話機に配信する。この時、配信するコンテンツリストは、例えば前述の図５に示すコンテンツ名のリストである。
【００２２】
ユーザは自己の携帯電話機のディスプレイに表示されるリストを参照し、ダウンロードを希望するコンテンツのコード番号を指定する（ＳＴ６）。この情報はサーバ１に出力され、サーバ１は指定されたコード番号のコンテンツ情報を読み出し、携帯電話機２に送信する（ＳＴ７、ＳＴ８）。
【００２３】
携帯電話機２は指定したコンテンツデータを受信すると（ＳＴ９）、コンテンツデータを出力する（ＳＴ１０）。例えば、コード番号“Ａ００１”が指定された場合、図５に示すアーティスト“□□”の音楽データが読み出され、携帯電話機２に配信される。また、コード番号“Ｂ００１”が指定されると、ある歌手のリハーサル風景の映像が配信される。
【００２４】
一方、サーバ１側では、アクセスがあった店舗のアクセス回数を＋１インクリメントする（ＳＴ１１）。例えば、図４に示す“〇〇〇店”（のアダプタ５）からアクセスがあった場合、対応するデータベースのアクセス回数を＋１し、“１５１”とする。一方、“△△△店”（のアダプタ５）からアクセスがあった場合、アクセス回数を＋１し、“２１１”とする。
【００２５】
以上のように、本例によればユーザは本システムに入会している店舗に入店し、アダプタ５に接続し、希望するコンテンツを選択するだけで最新の音楽情報を無料で取得することができ、ユーザにとって利益のあるシステムである。一方、店舗は無料コンテンツ配信のサービスによって人が集まり、集客を図ることができる。
【００２６】
また、サーバ１は顧客情報を取得することができ、顧客情報の集計からユーザの音楽志向を知り、今後の営業戦略に利用することができる。
尚、上記実施形態では、アダプタ５にユーザの携帯電話機４を接続し、希望するコンテンツを選択したが、コンテンツを選択することなく、携帯電話機４を接続するだけで自動的に予め設定された音楽情報がダウンロードされる構成としてもよい。
【００２７】
以上のように、本発明によれば最新の音楽情報を無料で取得することができ、ユーザにとって利益のあるシステムである。一方、店舗は無料コンテンツ配信のサービスによって人が集まり、集客を図ることができる。
【００２８】
また、サーバ１は顧客情報を取得することができ、顧客情報の集計からユーザの音楽に対する志向、傾向を知ることができ、極めて有効なシステムとすることができる。
【図面の簡単な説明】
【００２９】
【図１】本実施形態の着うたシステムのシステム構成を説明する図である。
【図２】サーバと店舗の関係を示す図である。
【図３】サーバの模式図である。
【図４】データベースの構成を説明する図である。
【図５】データベースの構成を説明する図である。
【図６】本例の処理を説明するフローチャートである。
【符号の説明】
【００３０】
１      管理サーバ
２      店舗
３      端末機器
４      携帯電話機
５      アダプタ
６      ＣＰＵ
７      ＲＯＭ
８      ＲＡＭ
９、９ａ、９ｂ      記録装置（データベース）
１１      メディアドライバ
１２      記録媒体
【図１】
2005331699.tif 000003
【図２】
2005331699.tif 000004
【図３】
2005331699.tif 000005
【図４】
2005331699.tif 000006
【図５】
2005331699.tif 000007
【図６】
2005331699.tif 000008